(57)【要約】【課題】蔓性植物の蔓を紐などで金網に結び付けるときの作業が行いやすく、蔓を水平に長く誘引でき、しかも、蔓性植物に対して風通しが悪くならないようにする。【解決手段】地上に立設した一対の支柱３，３間に金網４を取り付けた蔓性植物用フェンス１において、前記金網４の網目９を人の拳が通過できる大きさに設定する。【選択図】図１
0003148850.tif 000002
【実用新案登録請求の範囲】
【請求項１】
地上に間隔をおいて立設する一対の支柱（３，３）間に金網（４）を取り付けた蔓性植物用フェンス（１）において、前記金網（４）の網目（９）を人の拳が通過できる大きさに設定したことを特徴とする蔓性植物用フェンス。
【請求項２】
前記金網（４）の網目（９）の大きさが１２ｃｍ〜２０ｃｍ角の範囲である請求項１に記載の蔓性植物用フェンス。
【請求項３】
前記支柱（３，３）の上部に、前記金網（４）を引っ掛けることができるフック（６，６）を設け、そのフック（６，６）を介して前記金網（４）の上部を前記支柱（３，３）に取り付けるようにした請求項１又は２に記載の蔓性植物用フェンス。
【請求項４】
前記金網（４）は、３枚のメッシュパネル（４ａ，４ｂ，４ｃ）を用い、この３枚のメッシュパネル（４ａ，４ｂ，４ｃ）を折り畳み可能に順次連結して形成されている請求項１乃至３の何れかに記載の蔓性植物用フェンス。
【請求項５】
前記金網（４）は、折り畳んだときの折り目（１１）が水平又は垂直の何れかになる態様で前記支柱（３，３）に取り付けられる請求項４に記載の蔓性植物用フェンス。
【考案の詳細な説明】
【技術分野】
【０００１】
この考案は、建物の壁際や庭などに設置して、蔓性植物を誘引する蔓性植物用フェンスに関する。
【背景技術】
【０００２】
例えば、薔薇等の蔓性植物は蔓が柔軟であり、蔓が成長するにつれてあらゆる形態に変化させることができる。しかし、蔓性植物はそれ自体で立つことができないので、建物の近傍や庭などに飾る場合、蔓性植物用フェンスが用いられている。
【０００３】
従来の蔓性植物用フェンスとして、例えば、地上に間隔をおいて立設する支柱間に金網を取り付けたものが知られている（特許文献１）。この蔓性植物用フェンスは、建物の壁際や庭などに設置され、蔓性植物の蔓を好みの形・方向になるように紐などで金網に結び付けて、蔓性植物を誘引するものである。
【特許文献１】特開２００５−１７９９８５号公報
【考案の開示】
【考案が解決しようとする課題】
【０００４】
しかし、従来の蔓性植物用フェンスに使用されている金網は、その網目が小さいので、蔓性植物の蔓を金網に紐などで結び付けるときに、作業者の手を網目に通すことができず、紐を金網の一面側から他面側に通した後、一面側に戻して結わえる作業が行いにくい。そのため、蔓性植物の蔓の締結が困難であるという問題があった。
【０００５】
また、蔓性植物は、できるだけ水平に長く誘引すると、発芽数が増加するものであるが、金網の網目が小さいと、これを知らずに蔓を短い距離で上方に誘引してしまい、結果として開花数が少なくなる。
【０００６】
更に、網目の小さな金網に多くの蔓を結び付けると、網目が葉や花で覆われて風通りが悪くなって蒸れが生じ、これが原因で蔓性植物の成長を阻害したり病害虫の発生を招いたりする。また、病害虫の予防のための消毒が十分に行えないという問題もある。
【０００７】
この考案が解決しようとする課題は、蔓性植物の蔓を紐などで金網に結び付ける作業が容易に行え、蔓を水平に長く誘引でき、しかも、蔓性植物に対して風通しのよい条件を作ることができるようにすることである。
【課題を解決するための手段】
【０００８】
上記課題を解決するために、この考案の蔓性植物用フェンスは、地上に間隔をおいて立設する一対の支柱に金網を取り付け、その金網の網目を人の拳が通過できる大きさに設定したものである。
【０００９】
このようにすると、金網の網目は、作業者の手を貫通させることができる大きさとなるので、蔓性植物の蔓を紐などで金網に結び付けるときの締結作業が行いやすく、また、金網の網目が大きいことで、蔓の水平誘引長さを長くでき、発芽数を多くすることができる。しかも、網目が大きいことで、空間が保持されて風通りがよく蒸れにくい。
【００１０】
前記金網の網目の大きさを１２ｃｍ〜２０ｃｍの範囲とするのが好ましい。金網の網目が大きすぎると、蔓の誘引方向の変更を選択する箇所が少なくなり、蔓を好みの形や方向に仕立てるのが困難となるからである。
【００１１】
前記支柱の上部に、前記金網を引っ掛けることができるフックを設けると、金網の上部をフックに引っ掛けるだけで支柱に取り付けることができるので、前記金網の支柱への着脱作業が容易となる。フックの形状は、Ｓ字環を用いたり、支柱の一部を切起こしてＵ字状に形成したものなど、金網の上部を引っ掛けることができる形状であればいずれでもよい。
【００１２】
前記金網は、３枚のメッシュパネルからなり、これら３枚のメッシュパネルを折り畳み可能に順次連結することができる。このようにすると、金網を折り畳むことができるので、金網の搬送作業を楽にすることができる。
【００１３】
前記金網は、折り畳んだときの折り目が水平又は垂直の何れかになる態様で前記支柱に取り付けることができる。前記折り目を垂直になるよう取付けると、支柱間に金網を屈曲させた状態で立設することができるので、フェンスに見た目の変化を持たせることができるだけでなく、建物や庭の形に応じて蔓性植物用フェンスを使用することができ便利である。
【考案の効果】
【００１４】
この考案の蔓性植物用フェンスは、金網の網目を、拳が通過できる大きさとしたので、蔓性植物の蔓を紐などで金網に結び付けるときに、紐を金網の一面側から他面側に通した後一面側に戻す作業が金網の一面側から行え、作業者が金網の一面側と他面側の環を移動する必要がなくなり、蔓性植物の蔓を金網に締結する作業が能率よく容易に行える。
【００１５】
また、金網の網目を大きくすることで、蔓の水平方向への誘引が長くでき、芽付きの数を増やせるようになると共に、網目によってほどよく空間が保持されるので、風通りがよくて蒸れにくくなり、そのため、害虫の予防や蔓性植物の成長に適し、病害虫の消毒も確実に行える。
【考案を実施するための最良の形態】
【００１６】
以下、この考案の実施形態の蔓性植物用フェンスを添付図面に基づいて説明する。
【００１７】
図１に示すように、蔓性植物用フェンス１は、地中に打設して固定する２本の角杭２，２と、この角杭２、２に下部を外嵌挿入することにより地面上に起立配置する２本の支柱３，３と、両支柱３，３間に取り付けられる金網４とを有する。
【００１８】
前記角杭２，２は、長さｐが９０ｃｍであり、その長さの半分が庭などの地中５に打ち込まれることで、両側に所定の間隔をおいて地上に固定配置されることになり、この角杭２，２の打ち込み間隔は、金網４の寸法に応じて決められ、この実施形態では１８０ｃｍとした。
【００１９】
前記支柱３，３は長さｈが２００ｃｍの丸パイプを用い、図２に示すように、角杭２，２の地上に出ている部分２ａ，２ａにそれぞれ外嵌状に差し込まれることにより、両側に間隔をおいて地上に立設される。
【００２０】
これにより、角杭２，２の打ち込み深さにずれが生じていても、支柱３，３は地上からの高さが同一になるので、角杭２，２の打ち込み精度が要求されない。そのため、支柱３，３の立設が容易である。
【００２１】
前記支柱３，３の上部には、図１、図３に示すように、金網４を引っ掛けることができるフック６が設けられている。
【００２２】
これにより、金網４の上部をフック６に引っ掛けるだけで支柱３，３に取り付けることができるので、金網４の支柱３，３への着脱が容易である。なお、フック６は、図３（ａ）のようにＳ字環を用いたり、図３（ｂ）に示すように、支柱３，３の上端部に切り込み片を形成し、その切り込み片を外側に折り曲げることにより切起こしたＵ字状に形成したものでもよい。
【００２３】
図１に示すように、前記金網４は、全体が１辺の長さが１８０ｃｍの正方形であり、同一大きさの３枚のメッシュパネル４ａ，４ｂ，４ｃからなる。３枚のメッシュパネル４ａ，４ｂ，４ｃは長辺ｌが１８０ｃｍ、短辺ｓが６０ｃｍの長方形であり、例えば、３．２ｍｍ径の金属線材を用い、横線材７と縦線材８を交差させて交差点を溶接することにより形成される。各メッシュパネル４ａ，４ｂ，４ｃは、それぞれ同一大きさの正方形の網目９が複数形成され、この網目９は、大人の拳が貫通できる大きさ、具体的には、一辺の長さａが１２ｃｍ〜２０ｃｍの範囲、好ましくは１５ｃｍの大きさになっている。
【００２４】
なお、前記金網４の網目９の１辺の長さが１２ｃｍ以下であると、大人の拳が通りにくいと共に、１辺の長さが２０ｃｍよりも大きいと、蔓性植物１３の蔓の締結可能な部分が少なくなり、蔓を好みの形や方向に仕立てるのが困難となるからである。
【００２５】
この金網４は、３枚のメッシュパネル４ａ，４ｂ，４ｃが端部の横線材７を連結部材１０で順次連結されることにより、三つ下りに折り畳み可能となるよう形成され、折り畳んだときの折り目１１が水平になる態様でフック６，６に上端部を引っ掛けられる。これにより、金網４は、フック６，６を介して支柱３，３に取り付けられる。また、金網４の両側は、支柱３，３の上部から下部の間において、バンド１２で確実に支柱３，３に固定される。
【００２６】
このように構成された蔓性植物用フェンス１は、図１のように、地中に打設した両側の角杭２，２に支柱３，３の下端を差込み、地上に起立する両側支柱間に金網４を取付け、地面に植えた蔓薔薇のような蔓性植物１３の蔓を好みの形・方向になるように紐などで金網４に結び付けていくことにより、蔓性植物１３の誘引が行なわれる。
【００２７】
蔓性植物用フェンス１は、金網４の網目９を手の拳が通過できる大きさとしたので、蔓性植物１３の蔓を締結するときに、紐を金網４の一面側から他面側に通した後一面側に戻す作業が金網４の一面側から行え、作業者が金網４の一面側と他面側の環を移動する必要がなくなり、蔓性植物１３の蔓を金網４に締結する作業が能率よく容易に行える。
【００２８】
また、蔓性植物用フェンス１は、金網４の網目９を大きく設定することにより、網目９が大きいことでほどよく空間が保持され、風通りがよく蒸れにくい。そのため、病害虫の予防や蔓性植物１３の成長に適し、病害虫の消毒も確実に行える。
【００２９】
また、蔓性植物用フェンス１は、網目９を形成する線材７，８の径が３．２ｍｍと小さいので、金網４の線材７，８が目立ちにくい。そのため、開花時期に蔓性植物１３の花が空間に咲き乱れるといった趣のある風景を創り出すことができる。
【００３０】
また、蔓性植物用フェンス１は、金網４の網目９を大きくすることで、蔓性植物１３の蔓を水平に誘引することができる距離が長くなる。蔓性植物１３の蔓薔薇などは、蔓が真上に延びていると、蔓の先に芽を付ける傾向があるが、蔓が水平に延びていると、蔓が水平となった部分に芽を付ける傾向がある。そのため、蔓性植物１３の蔓を水平に長く誘引すれば、その蔓に多くの芽を付けさせることができ、その結果、開花数を増やすことができる。
【００３１】
また、蔓性植物用フェンス１は、地上に立設した支柱に金網４を取り付けているので、両サイドからの蔓性植物１３の観賞が可能である。
【００３２】
また、蔓性植物用フェンス１は、支柱３，３から金網４を取り外したときに、金網４を１／３に折り畳むことができるので、撤去後の金網４の搬送作業が楽である。
【００３３】
上記実施形態では、折り畳んだときの折り目１１が水平になる態様で金網４を支柱３、３間に取り付けたが、図４に示すように、折り目１１が垂直になる態様で金網４をフック６，６に引っ掛けて支柱３，３に取り付けてもよい。このようにすると、支柱３，３間に金網４を屈曲させた状態で立設することができ、建物や庭の形に応じて蔓性植物用フェンス１を設置することができて便利であり、見た目に立体感のある変化を持たせることができる。
【００３４】
上記実施形態では、金網４を取り付ける支柱３，３を２本立設したが、さらに同一の支柱３を複数立設していってもよい。このようにすると、各支柱３、３間に金網４を取り付けることができるようになるので、蔓性植物１３の成長をさらに促進することが可能となる。
【図面の簡単な説明】
【００３５】
【図１】この考案の実施形態の蔓性植物用フェンスを示す正面図
【図２】図１に示す支柱の下部固定構造を示す拡大断面図
【図３】図１に示す支柱の上部に設けたフックを示す図であり、（ａ）はＳ字環のフックを示す縦断面図、（ｂ）はＵ字状のフックを示す縦断面図
【図４】図１に示す蔓性植物用フェンスの金網を屈曲状態で配置した状態を示す斜視図
【符号の説明】
【００３６】
１        蔓性植物用フェンス
３        支柱
４        金網
４ａ      メッシュパネル
４ｂ      メッシュパネル
４ｃ      メッシュパネル
６        フック
７        横線材
８        縦線材
９        網目
１１      折り目
【図１】
0003148850.tif 000003
【図２】
0003148850.tif 000004
【図３】
0003148850.tif 000005
【図４】
0003148850.tif 000006